(57)【要約】 【課題】  輝度信号の変化による色ずれ、色滲みの発生を抑圧する。【解決手段】  輝度信号入力端子１６、遅延回路１８及び遅延回路２０からの輝度信号に基づいて輝度相関検出回路２２で補間係数αを算定する。色差信号入力端子２６ｂ、２６ｒに入力された色差信号Ｃｂ、Ｃｒに（１−α）を乗算回路３０ｂ、３０ｒで乗ずる。遅延回路２８ｂ、２８ｒで遅延された色差信号Ｃｂ、Ｃｒにαを乗算回路３４ｂ、３４ｒで乗ずる。乗算回路３０ｂ、３０ｒ及び乗算回路３４ｂ、３４ｒから出力された信号を加算回路３６ｂ、３６ｒで加算した後、遅延回路３８ｂ、３８ｒで遅延させる。補間位置信号によって遅延回路３２ｂ、３２ｒ又は３８ｂ、３８ｒの出力信号が切替回路４０ｂ、４０ｒを経て出力される。【選択図】図１
2005039679.tif 000002
【特許請求の範囲】
【請求項１】
色差信号の情報量が、輝度信号の情報量に対して、間引かれて送られて来た画像信号を、前記色差信号の情報量を前記輝度信号の情報量と同等になるように変換する画像変換方法において、
受信された前記輝度信号に基づいて補間係数を算定し、
算定された前記補間係数及び受信された前記色差信号に基づいて該色差信号を補間して前記輝度信号の情報量と同等の情報量を有する前記色差信号を再生することを特徴とする画像変換方法。
【請求項２】
色差信号の情報量が、輝度信号の情報量に対して、間引かれて送られて来た画像信号を、前記色差信号の情報量を前記輝度信号の情報量と同等になるように変換する画像変換方法において、
受信された前記輝度信号及び前記色差信号に基づいて補間係数を算定し、
算定された前記補間係数及び受信された前記色差信号に基づいて該色差信号を補間して前記輝度信号の情報量と同等の情報量を有する前記色差信号を再生することを特徴とする画像変換方法。
【請求項３】
前記色差信号は第１の色差信号及び第２の色差信号から成り、前記輝度信号は予め決められる第1の信号期間毎に伝送され、かつ、前記第１及び第２の色差信号は前記第１の信号期間及び前記間引かれ方によつて決まる第2の信号期間毎に伝送され、
前記補間係数の算定は、受信した前記輝度信号のうちの、補間されて再生されるべき前記色差信号の前記第１の信号期間に対応する前記第１の信号期間前後の前記輝度信号に基づいて行われ、
前記色差信号の再生は、前記色差信号毎に、算定された前記補間係数と、前記第１の信号期間に対応する信号期間であって受信した前記色差信号内の信号期間前後の前記色差信号とに基づいて行われ、
再生された前記色差信号は前記色差信号毎に前記第１の信号期間に挿入されることによって行われることを特徴とする請求項１記載の画像変換方法。
【請求項４】
前記色差信号は第１の色差信号及び第２の色差信号から成り、前記輝度信号は予め決められる第1の信号期間毎に伝送され、かつ、前記色差信号は前記第１の信号期間及び前記間引かれ方によつて決まる第2の信号期間毎に伝送され、
前記補間係数の算定は、受信された前記輝度信号のうちの、補間されて再生されるべき前記色差信号の前記第１の信号期間に対応する前記第１の信号期間前後の前記輝度信号と、前記第１の信号期間に対応する信号期間であって受信した前記色差信号の信号期間前後の前記色差信号とに基づいて行われ、
前記色差信号の再生は、前記色差信号毎に、算定された前記補間係数と、前記第１の信号期間に対応する信号期間であって受信した前記色差信号内の信号期間前後の前記色差信号とに基づいて行われ、
再生された前記色差信号は前記第１の信号期間に挿入されることによって行われることを特徴とする請求項２記載の画像変換方法。
【請求項５】
前記輝度信号Ｙの情報量と前記第１の色差信号Ｃｂ及び前記第２の色差信号Ｃｒの情報量との前記間引く前の比率がＹ：Ｃｂ：Ｃｒ＝２：２：２で、前記間引いた後の比率がＹ：Ｃｂ：Ｃｒ＝２：１：１であることを特徴とする請求項１、２、３又は４記載の画像変換方法。
【請求項６】
前記輝度信号Ｙの情報量と前記第１の色差信号Ｃｂ及び前記第２の色差信号Ｃｒの情報量との前記間引く前の比率がＹ：Ｃｂ：Ｃｒ＝２：２：２で、前記間引いた後の比率がＹ：Ｃｂ：Ｃｒ＝２：１：０であることを特徴とする請求項１、２、３又は４記載の画像変換方法。
【請求項７】
補間されて再生されるべき前記色差信号の前記第１の信号期間は、受信された前記色差信号毎であって、該色差信号の時系列上の各前記第２の信号期間の後半であることを特徴とする請求項５記載の画像変換方法。
【請求項８】
色差信号の情報量が、輝度信号の情報量に対して、間引かれて送られて来た画像信号を、前記色差信号の情報量を前記輝度信号の情報量と同等になるように変換する画像変換回路において、
受信された前記輝度信号に基づいて補間係数を算定する算定回路と、
該算定回路によつて算定された前記補間係数及び受信された前記色差信号に基づいて該色差信号を補間して前記輝度信号の情報量と同等の情報量を有する前記色差信号を再生する再生回路とを備えたことを特徴とする画像変換回路。
【請求項９】
色差信号の情報量が、輝度信号の情報量に対して、間引かれて送られて来た画像信号を、前記色差信号の情報量を前記輝度信号の情報量と同等になるように変換する画像変換回路において、
受信された前記輝度信号及び前記色差信号に基づいて補間係数を算定する算定回路と、
該算定回路によつて算定された前記補間係数及び受信された前記色差信号に基づいて該色差信号を補間して前記輝度信号の情報量と同等の情報量を有する前記色差信号を再生する再生回路とを備えたことを特徴とする画像変換回路。
【請求項１０】
前記色差信号は第１の色差信号及び第２の色差信号から成り、前記輝度信号は予め決められる第1の信号期間毎に伝送され、かつ、前記第１及び第２の色差信号は前記第１の信号期間及び前記間引かれ方によつて決まる第2の信号期間毎に伝送され、
前記算定回路は、受信した前記輝度信号のうちの、補間されて再生されるべき前記色差信号の前記第１の信号期間に対応する前記第１の信号期間前後の前記輝度信号に基づいて補間係数を算定する回路であり、
前記再生回路は、前記色差信号毎に、算定された前記補間係数と、前記第１の信号期間に対応する信号期間であって受信した前記色差信号内の信号期間前後の前記色差信号とに基づいて前記間引き前の前記色差信号を再生する回路であり、
再生された前記色差信号を前記色差信号毎に前記第１の信号期間に挿入する挿入回路を含んで構成されることを特徴とする請求項８記載の画像変換回路。
【請求項１１】
前記色差信号は第１の色差信号及び第２の色差信号から成り、前記輝度信号は予め決められる第1の信号期間毎に伝送され、かつ、前記色差信号は前記第１の信号期間及び前記間引かれ方によつて決まる第2の信号期間毎に伝送され、
前記算定回路は、受信した前記輝度信号のうちの、補間されて再生されるべき前記色差信号の前記第１の信号期間に対応する前記第１の信号期間前後の前記輝度信号と、前記第１の信号期間に対応する信号期間であって受信した前記色差信号の信号期間前後の前記色差信号とに基づいて補間係数を算定する回路であり、
前記再生回路は、前記色差信号毎に、算定された前記補間係数と、前記第１の信号期間に対応する信号期間であって受信した前記色差信号内の信号期間前後の前記色差信号とに基づいて前記間引き前の前記色差信号を再生する回路であり、
再生された前記色差信号を前記色差信号毎に前記第１の信号期間に挿入する挿入回路を含んで構成されることを特徴とする請求項９記載の画像変換回路。
【請求項１２】
前記輝度信号Ｙの情報量と前記第１の色差信号Ｃｂ及び前記第２の色差信号Ｃｒの情報量との前記間引く前の比率がＹ：Ｃｂ：Ｃｒ＝２：２：２で、前記間引いた後の比率がＹ：Ｃｂ：Ｃｒ＝２：１：１であることを特徴とする請求項８又は１０記載の画像変換回路。
【請求項１３】
前記輝度信号Ｙの情報量と前記第１の色差信号Ｃｂ及び前記第２の色差信号Ｃｒの情報量との前記間引く前の比率がＹ：Ｃｂ：Ｃｒ＝２：２：２で、前記間引いた後の比率がＹ：Ｃｂ：Ｃｒ＝２：１：０であることを特徴とする請求項９又は１１記載の画像変換回路。
【請求項１４】
前記算定回路は、輝度信号入力端子に縦属接続された１画素分の遅延を与える所定数の遅延回路と、前記輝度信号入力端子及び所定数の前記遅延回路の出力に接続され、補間係数を出力する輝度相関検出回路とにより構成され、
前記再生回路は、前記第１及び第２の色差信号毎に、色差信号入力端子に接続された２画素分の遅延を与える２画素遅延回路と、色差信号入力端子に接続され、色差信号入力端子に入力された色差信号に（１−補間係数）を乗ずる第１の乗算回路と、前記２画素遅延回路に接続され、前記２画素遅延回路から出力された色差信号に補間係数を乗ずる第２の乗算回路と、前記第１及び第２の乗算回路の乗算値を加算する加算回路と、該加算回路の出力に接続され、１画素分の遅延を与える１画素遅延回路とを設けて構成され、
前記挿入回路は、対応する前記再生回路の前記２画素遅延回路及び前記１画素遅延回路の出力に接続され、前記第１の信号期間以外の信号期間は前記２画素遅延回路から出力される信号を出力し、前記第１の信号期間は前記１画素遅延回路から出力される信号を出力する切替回路を前記色差信号毎に設けて構成されていることを特徴とする請求項１２記載の画像変換回路。
【請求項１５】
前記算定回路は、輝度信号入力端子に縦属接続された１画素分の遅延を与える所定数の遅延回路と、前記輝度信号入力端子及び所定数の前記遅延回路並びに色差信号入力端子の各々及び下記再生回路の下記２画素遅延回路の各々の出力に接続され、補間係数を出力する輝度相関検出回路とにより構成され、
前記再生回路は、前記色差信号入力端子に接続され２画素分の遅延を与える２画素遅延回路と、前記色差信号入力端子に接続され、前記色差信号入力端子に入力された色差信号に（１−補間係数）を乗ずる第１の乗算回路と、前記２画素遅延回路に接続され、前記２画素遅延回路から出力された色差信号に補間係数を乗ずる第２の乗算回路と、前記第１及び第２の乗算回路の乗算値を加算する加算回路と、該加算回路の出力に接続され、１画素の遅延を与える遅延回路とを前記色差信号毎に設けて構成され、
前記挿入回路は、対応する前記再生回路の前記２画素遅延回路及び前記１画素遅延回路の出力に接続され、前記第１の信号期間以外の信号期間は前記２画素遅延回路から出力される信号を出力し、前記第１の信号期間は前記１画素遅延回路から出力される信号を出力する切替回路を前記色差信号毎に設けて構成されていることを特徴とする請求項１３記載の画像変換回路。
【請求項１６】
前記第１の信号期間は、受信した前記色差信号毎であって、該色差信号の時系列上の各前記第2の信号期間の後半であることを特徴とする請求項１２、１３、１４又は１５記載の画像変換回路。
【請求項１７】
コンピュータを制御して請求項１乃至７のいずれか一に記載の信号変換方法を実施させるための制御プログラム。
【請求項１８】
請求項８乃至１６のいずれか一に記載の画像変換回路の各種回路を実施させるための制御プログラム。
【発明の詳細な説明】
【技術分野】
【０００１】
この発明は、信号変換方法及び画像変換回路並びにその制御プログラムに関し、詳しくは受信された輝度信号乃至輝度信号及び色差信号に基づいて補間係数を算定し、算定された補間係数と受信された色差信号とに基づいて間引き前の色差信号を再生する信号変換方法及び画像変換回路並びにその制御プログラムに関する。
【背景技術】
【０００２】
従来、画像信号の伝送において、画像の輝度信号と色差信号Ｃｂ、Ｃｒとで画像信号を構成して伝送するようにしたものがある。その場合に、色差信号Ｃｂ、Ｃｒの情報量を輝度信号の情報量に比して、所定の割合だけ低減して画像信号の伝送をするようにしている。
このような信号形式を採用する理由は、人間の視覚が輝度情報に比して、色差情報に敏感に反応しないという人間の視覚特性を情報量の削減に活用したいということにある。
すなわち、色差情報のサンプリング量を減らすことによって、情報量を減らすことにその目的がある。
このような画像信号の例としては、輝度信号Ｙと色差信号Ｃｂと色差信号Ｃｒとの情報量の割合をＹ：Ｃｂ：Ｃｒ＝４：２：２とするものがある。
【０００３】
上述したような画像信号を受信して元の画像信号に復元する方法として、画像信号に対して補間処理を行って輝度信号の情報量に対して情報量が半分の色差信号の情報量を再生している。
その情報量の再生の仕方として、一般に行われている方法は、色差信号に対して平均加算等のフィルタ処理を単純に行うものである。
【０００４】
また、特開平１０−２２４８１５号公報には、以下に述べる技術が記載されている。
すなわち、その技術は、色差信号の情報量に比して、色差信号の情報量が低減されて構成される画像信号において、高域輝度信号のエッジ位置を検出し、そのエッジ位置を使用するか否かを高域色差信号について検出されたエッジ位置で選択するようにすると共に、選択されたエッジ位置において低域色差信号に基づいてその振幅及び高域色差信号に基づいてその符号を決定し、決定された振幅、符号及び高域輝度信号のエッジ形状に基づいて高域色差信号のエッジ形状を決定してエンハンス信号を生成した後、そのエンハンス信号と低域全体の色差信号とを合成して情報量の低減から生ずる不具合を回避し得る色差信号を生成するというものである。
【特許文献１】特開平１０−２２４８１５号公報
【発明の開示】
【発明が解決しようとする課題】
【０００５】
しかしながら、上述した色差信号に対して単純に平均加算等のフィルタ処理を行う技術でも、色差信号の情報量の再生にはなるというものの、輝度信号の変化が大きい個所で色ずれや色の滲みが現れて来るという技術的課題がある。
また、特開平１０−２２４８１５号公報に記載される技術も、選択されたエッジ位置における振幅、符号及び高域輝度信号のエッジ形状に基づいて高域色差信号のエッジ形状を決定してエンハンス信号を生成するものであるから、同様の問題がある。
【０００６】
この発明は、上述の事情に鑑みてなされたもので、受信された輝度信号乃至輝度信号及び色差信号に基づいて補間係数を算定し、算定された補間係数と受信された色差信号とに基づいて間引き前の色差信号を再生することができる画像変換方法及び回路並びにその制御プログラムを提供することを目的としている。
【課題を解決するための手段】
【０００７】
上記課題を解決するために、請求項１記載の発明は、色差信号の情報量が、輝度信号の情報量に対して、間引かれて送られて来た画像信号を、上記色差信号の情報量を上記輝度信号の情報量と同等になるように変換する画像変換方法に係り、受信された上記輝度信号に基づいて補間係数を算定し、算定された上記補間係数及び受信された上記色差信号に基づいて該色差信号を補間して上記輝度信号の情報量と同等の情報量を有する上記色差信号を再生することを特徴としている。
【０００８】
請求項２記載の発明は、色差信号の情報量が、輝度信号の情報量に対して、間引かれて送られて来た画像信号を、上記色差信号の情報量を上記輝度信号の情報量と同等になるように変換する画像変換方法に係り、受信された上記輝度信号及び上記色差信号に基づいて補間係数を算定し、算定された上記補間係数及び受信された上記色差信号に基づいて該色差信号を補間して上記輝度信号の情報量と同等の情報量を有する上記色差信号を再生することを特徴としている。
【０００９】
請求項３記載の発明は、請求項１記載の画像変換方法に係り、上記色差信号は第１の色差信号及び第２の色差信号から成り、上記輝度信号は予め決められる第1の信号期間毎に伝送され、かつ、上記第１及び第２の色差信号は上記第１の信号期間及び上記間引かれ方によつて決まる第2の信号期間毎に伝送され、上記補間係数の算定は、受信した上記輝度信号のうちの、補間されて再生されるべき上記色差信号の上記第１の信号期間に対応する上記第１の信号期間前後の上記輝度信号に基づいて行われ、上記色差信号の再生は、上記色差信号毎に、算定された上記補間係数と、上記第１の信号期間に対応する信号期間であって受信した上記色差信号内の信号期間前後の上記色差信号とに基づいて行われ、再生された上記色差信号は上記色差信号毎に上記第１の信号期間に挿入されることを特徴としている。
【００１０】
請求項４記載の発明は、請求項２記載の画像変換方法に係り、上記色差信号は第１の色差信号及び第２の色差信号から成り、上記輝度信号は予め決められる第1の信号期間毎に伝送され、かつ、上記色差信号は上記第１の信号期間及び上記間引かれ方によつて決まる第2の信号期間毎に伝送され、上記補間係数の算定は、受信された上記輝度信号のうちの、補間されて再生されるべき上記色差信号の上記第１の信号期間に対応する上記第１の信号期間前後の上記輝度信号と、上記第１の信号期間に対応する信号期間であって受信した上記色差信号の信号期間前後の上記色差信号とに基づいて行われ、上記色差信号の再生は、上記色差信号毎に、算定された上記補間係数と、上記第１の信号期間に対応する信号期間であって受信した上記色差信号内の信号期間前後の上記色差信号とに基づいて行われ、再生された上記色差信号は上記第１の信号期間に挿入されることを特徴としている。
【００１１】
請求項５記載の発明は、請求項１、２、３又は４記載の画像変換方法に係り、  上記輝度信号Ｙの情報量と上記第１の色差信号Ｃｂ及び上記第２の色差信号Ｃｒの情報量との上記間引く前の比率がＹ：Ｃｂ：Ｃｒ＝２：２：２で、上記間引いた後の比率がＹ：Ｃｂ：Ｃｒ＝２：１：１であることを特徴としている。
【００１２】
請求項６記載の発明は、請求項１、２、３又は４記載の画像変換方法に係り、  上記輝度信号Ｙの情報量と上記第１の色差信号Ｃｂ及び上記第２の色差信号Ｃｒの情報量との上記間引く前の比率がＹ：Ｃｂ：Ｃｒ＝２：２：２で、上記間引いた後の比率がＹ：Ｃｂ：Ｃｒ＝２：１：０であることを特徴としている。
【００１３】
請求項７記載の発明は、請求項５記載の画像変換方法に係り、補間されて再生されるべき上記色差信号の上記第１の信号期間は、受信された上記色差信号毎であって、該色差信号の時系列上の各上記第２の信号期間の後半であることを特徴としている。
【００１４】
請求項8記載の発明は、色差信号の情報量が、輝度信号の情報量に対して、間引かされて送られて来た画像信号を、上記色差信号の情報量を上記輝度信号の情報量と同等になるように変換する画像変換回路に係り、受信された上記輝度信号に基づいて補間係数を算定する算定回路と、該算定回路によつて算定された上記補間係数及び受信された上記色差信号に基づいて該色差信号を補間して上記輝度信号の情報量と同等の情報量を有する上記色差信号を再生する再生回路とを備えたことを特徴としている。
【００１５】
請求項９記載の発明は、色差信号の情報量が、輝度信号の情報量に対して、間引かれて送られて来た画像信号を、上記色差信号の情報量を上記輝度信号の情報量と同等になるように変換する画像変換回路に係り、受信された上記輝度信号及び上記色差信号に基づいて補間係数を算定する算定回路と、該算定回路によつて算定された上記補間係数及び受信された上記色差信号に基づいて該色差信号を補間して上記輝度信号の情報量と同等の情報量を有する上記色差信号を再生する再生回路とを備えたことを特徴としている。
【００１６】
請求項１０記載の発明は、請求項８記載の画像変換回路に係り、上記色差信号は第１の色差信号及び第２の色差信号から成り、上記輝度信号は予め決められる第1の信号期間毎に伝送され、かつ、上記第１及び第２の色差信号は上記第１の信号期間及び上記間引かれ方によつて決まる第2の信号期間毎に伝送され、上記算定回路は、受信した上記輝度信号のうちの、補間されて再生されるべき上記色差信号の上記第１の信号期間に対応する上記第１の信号期間前後の上記輝度信号に基づいて補間係数を算定する回路であり、上記再生回路は、上記色差信号毎に、算定された上記補間係数と、上記第１の信号期間に対応する信号期間であって受信した上記色差信号内の信号期間前後の上記色差信号とに基づいて上記間引き前の上記色差信号を再生する回路であり、再生された上記色差信号を上記色差信号毎に上記第１の信号期間に挿入する挿入回路を含んで構成されることを特徴としている。
【００１７】
請求項１１記載の発明は、請求項９記載の画像変換回路に係り、上記色差信号は第１の色差信号及び第２の色差信号から成り、上記輝度信号は予め決められる第1の信号期間毎に伝送され、かつ、上記色差信号は上記第１の信号期間及び上記間引かれ方によつて決まる第2の信号期間毎に伝送され、上記算定回路は、受信した上記輝度信号のうちの、補間されて再生されるべき上記色差信号の上記第１の信号期間に対応する上記第１の信号期間前後の上記輝度信号と、上記第１の信号期間に対応する信号期間であって受信した上記色差信号の信号期間前後の上記色差信号とに基づいて補間係数を算定する回路であり、上記再生回路は、上記色差信号毎に、算定された上記補間係数と、上記第１の信号期間に対応する信号期間であって受信した上記色差信号内の信号期間前後の上記色差信号とに基づいて上記間引き前の上記色差信号を再生する回路であり、  再生された上記色差信号を上記色差信号毎に上記第１の信号期間に挿入する挿入回路を含んで構成されることを特徴としている。
【００１８】
請求項１２記載の発明は、請求項８又は１０記載の画像変換回路に係り、上記輝度信号Ｙの情報量と上記第１の色差信号Ｃｂ及び上記第２の色差信号Ｃｒの情報量との上記間引く前の比率がＹ：Ｃｂ：Ｃｒ＝２：２：２で、上記間引いた後の比率がＹ：Ｃｂ：Ｃｒ＝２：１：１であることを特徴としている。
【００１９】
請求項１３記載の発明は、請求項９又は１１記載の画像変換回路に係り、上記輝度信号Ｙの情報量と上記第１の色差信号Ｃｂ及び上記第２の色差信号Ｃｒの情報量との上記間引く前の比率がＹ：Ｃｂ：Ｃｒ＝２：２：２で、上記間引いた後の比率がＹ：Ｃｂ：Ｃｒ＝２：１：０であることを特徴としている。
【００２０】
請求項１４記載の発明は、請求項１２記載の画像変換回路に係り、上記算定回路は、輝度信号入力端子に縦属接続された１画素分の遅延を与える所定数の遅延回路と、上記輝度信号入力端子及び所定数の上記遅延回路の出力に接続され、補間係数を出力する輝度相関検出回路とにより構成され、上記再生回路は、上記第１及び第２の色差信号毎に、色差信号入力端子に接続された２画素分の遅延を与える２画素遅延回路と、色差信号入力端子に接続され、色差信号入力端子に入力された色差信号に（１−補間係数）を乗ずる第１の乗算回路と、上記２画素遅延回路に接続され、上記２画素遅延回路から出力された色差信号に補間係数を乗ずる第２の乗算回路と、上記第１及び第２の乗算回路の乗算値を加算する加算回路と、該加算回路の出力に接続され、１画素分の遅延を与える１画素遅延回路とを設けて構成され、上記挿入回路は、対応する上記再生回路の上記２画素遅延回路及び上記１画素遅延回路の出力に接続され、上記第１の信号期間以外の信号期間は上記２画素遅延回路から出力される信号を出力し、上記第１の信号期間は上記１画素遅延回路から出力される信号を出力する切替回路を上記色差信号毎に設けて構成されていることを特徴としている。
【００２１】
請求項１５記載の発明は、前請求項１３記載の画像変換回路に係り、上記算定回路は、輝度信号入力端子に縦属接続された１画素分の遅延を与える所定数の遅延回路と、上記輝度信号入力端子及び所定数の上記遅延回路並びに色差信号入力端子の各々及び下記再生回路の下記２画素遅延回路の各々の出力に接続され、補間係数を出力する輝度相関検出回路とにより構成され、上記再生回路は、上記色差信号入力端子に接続され２画素分の遅延を与える２画素遅延回路と、上記色差信号入力端子に接続され、上記色差信号入力端子に入力された色差信号に（１−補間係数）を乗ずる第１の乗算回路と、上記２画素遅延回路に接続され、上記２画素遅延回路から出力された色差信号に補間係数を乗ずる第２の乗算回路と、上記第１及び第２の乗算回路の乗算値を加算する加算回路と、該加算回路の出力に接続され、１画素の遅延を与える遅延回路とを上記色差信号毎に設けて構成され、上記挿入回路は、対応する上記再生回路の上記２画素遅延回路及び上記１画素遅延回路の出力に接続され、上記第１の信号期間以外の信号期間は上記２画素遅延回路から出力される信号を出力し、上記第１の信号期間は上記１画素遅延回路から出力される信号を出力する切替回路を上記色差信号毎に設けて構成されていることを特徴としている。
【００２２】
請求項１６記載の発明は、請求項１２、１３、１４又は１５記載の画像変換回路に係り、上記第１の信号期間は、受信した上記色差信号毎であって、該色差信号の時系列上の各上記第2の信号期間の後半であることを特徴としている。
【００２３】
請求項１７記載の発明は、制御プログラムに係り、コンピュータを制御して請求項１乃至７のいずれか一に記載の信号変換方法を実施させることを特徴としている。
【００２４】
請求項１８記載の発明は、制御プログラムに係り、請求項８乃至１６のいずれか一に記載の画像変換回路の各種回路を実施させることを特徴としている。
【発明の効果】
【００２５】
この発明は、色差信号の情報量が、輝度信号の情報量に対して、間引かれて送られて来た画像信号を、前記色差信号の情報量を前記輝度信号の情報量と同等になるように変換するに際して、受信された前記輝度信号に基づいて補間係数を算定し、算定された前記補間係数及び受信された前記色差信号に基づいて該色差信号を補間して前記輝度信号の情報量と同等の情報量を有する前記色差信号を再生するようにしたので、輝度信号に対して色差信号が間引かれて伝送されて来たとしても、その間引かれている色差信号を輝度信号のうちの相関の強い方の信号に近づけて再生することが可能になる。
【００２６】
また、この発明は、画像変換回路から出力される画像信号を画像表示に供したとき、表示される色に生ずる滲み、偽色の抑圧度合を高めることができる。また、表示画面上において輝度差が大きくなったとしても、その輝度差の大きい位置において色ずれのように見える現象も抑えることもできる。
【００２７】
また、この発明は、補間係数を算定する輝度信号の数を増せば、その間引かれている色差信号、すなわち、補間対象位置の色差信号の生成においてノイズを低減しつつ補間精度高くし得、表示される色に生ずる滲み、偽色の抑圧の改善が一層図れる。また、表示画面上において輝度差が大きくなったときの輝度差の大きい位置において色ずれのように見える現象の抑圧の改善も一層図れる。
また、色差信号を補間係数の算定に加味すれば、上記抑圧効果がさらに向上する。
【発明を実施するための最良の形態】
【００２８】
この発明は、色差信号の情報量が、輝度信号の情報量に対して、間引かれて送られて来た画像信号のうちの色差信号を伝送前の色差信号に復元するのに、受信された輝度信号又は輝度信号及び色差信号に基づいて補間係数を算定することと、算定された補間係数及び受信された色差信号に基づいて該色差信号を補間することとを用いて構成される。
【実施例１】
【００２９】
図１は、この発明の実施例１である画像変換回路を示す図、図２は、同画像変換回路に用いる相関検出回路を示す図、図３は、同画像変換回路の動作説明に用いるタイミングチャート、図４は、同画像変換回路で用いる相関検出を図解した図、また、図５は、同画像変換回路で得られる効果の説明図である。
【００３０】
この実施例の画像変換回路１０は、輝度信号から補間係数を決定し、該補間係数を所定の関係で補間対象位置の色差信号前後の色差信号に乗じて補間済色差信号を得る回路に係り、図１に示すように、輝度信号から補間係数αを決定する補間係数出力回路１２と、補間係数を所定の関係で補間対象位置の色差信号前後の色差信号に乗じて補間済色差信号を出力する補間済色差信号出力回路１４とから構成されている。
【００３１】
補間係数出力回路１２は、輝度信号入力端子１６に入力を接続した遅延回路１８と、遅延回路１８の出力に入力を接続した遅延回路２０と、輝度信号入力端子１６、遅延回路１８及び遅延回路２０の出力に入力を接続した輝度相関検出回路２２とから成る。輝度相関検出回路２２の出力は補間済色差信号出力回路１４に接続されている。また、遅延回路２０の出力は、輝度信号出力端子２４に接続されている。
【００３２】
補間済色差信号出力回路１４は、第1の補間済色差信号出力回路１４ｂと第２の補間済色差信号出力回路１４ｒとから構成されている。
第１の補間済色差信号出力回路１４ｂは、色差信号入力端子２６ｂに入力を接続した遅延回路２８ｂと、色差信号入力端子２６ｂに入力を接続した乗算回路３０ｂと、遅延回路２８ｂの出力に入力を接続した遅延回路３２ｂと、遅延回路３２ｂの出力に入力を接続した乗算回路３４ｂと、乗算回路３０ｂ及び乗算回路３４ｂの出力に各別に加算入力及び被加算入力を接続した加算回路３６ｂと、加算回路３６ｂの出力に入力を接続した遅延回路３８ｂと、遅延回路３２ｂの出力に第１の入力を接続し、遅延回路３８ｂの出力に第２の入力を接続した切替回路４０ｂとから構成されている。
【００３３】
第２の補間済色差信号出力回路１４ｒは、色差信号入力端子２６ｒに入力を接続した遅延回路２８ｒと、色差信号入力端子２６ｒに入力を接続した乗算回路３０ｒと、遅延回路２８ｒの出力に入力を接続した遅延回路３２ｒと、遅延回路３２ｒの出力に入力を接続した乗算回路３４ｒと、乗算回路３０ｒ及び乗算回路３４ｒの出力に各別に加算入力及び被加算入力を接続した加算回路３６ｒと、加算回路３６ｒの出力に入力を接続した遅延回路３８ｒと、遅延回路３２ｒの出力に第１の入力を接続し、遅延回路３８ｒの出力に第２の入力を接続した切替回路４０ｒとから構成されている。
【００３４】
乗算回路３０ｂ、３０ｒは、色差信号入力端子２６ｂ、２６ｒからの色差信号を（１−α）倍する回路であり、乗算回路３４ｂ、３４ｒは、遅延回路３２ｂ、３２ｒからの色差信号をα倍する回路である。
切替回路４０ｂ、４０ｒの切替制御入力は、補間位置信号供給端子３９に接続されている。切替回路４０ｂ、４０ｒの出力は、補間済色差信号出力端子４２ｂ、４２ｒに接続されている。
【００３５】
相関検出回路２２は、補間対象位置に対応する輝度信号Ｙ２（図３の（１））が隣接する輝度信号Ｙ１、Ｙ３（図３の（１））のどちらに相関があるかを輝度レベルで線形的に判断して補間係数αを出力するもので、図２に示すように、絶対値演算回路２２１、絶対値演算回路２２２、最小値検出回路２２３及び相関レベル検出回路２２４から成る。絶対値演算回路２２１の入力は、輝度信号入力端子１６及び遅延回路１８の出力に接続され、絶対値演算回路２２２の入力は、遅延回路１８及び遅延回路２０の出力に接続されている。最小値検出回路２２３の入力は、絶対値演算回路２２１及び絶対値演算回路２２２の出力に接続され、最小値検出回路２２３の出力は、相関レベル検出回路２２４の入力に接続されている。
【００３６】
次に、図１乃至図５を参照して、この実施例の動作について説明する。
この実施例において、画像信号は、輝度信号Ｙと、青色差信号（以下、色差信号Ｃｂという）と、赤色差信号（以下、色差信号Ｃｒという）とにより構成され、輝度信号Ｙの情報量と、色差信号Ｃｂの情報量と、色差信号Ｃｒの情報量との割合は、例えば、Ｙ：Ｃｂ：Ｃｒ＝４：２：２であるとする。
したがって、輝度信号Ｙｉ（１画素期間毎に順次入力される輝度信号Ｙのうちのｉ番目の輝度信号を表す。図３において、ｉ＝１，２，３，…）及び輝度信号Ｙ（ｉ＋１）の画素期間（画素の信号期間）が、色差信号Ｃｂｊ、色差信号Ｃｂｊの信号期間（１信号期間毎に順次入力される色差信号Ｃｂ、Ｃｒのうちのｊ番目の色差信号を表す。図３において、ｊ＝１，２，３，…）となる。つまり、色差信号Ｃｂｊ、色差信号Ｃｒｊの１信号期間が、２画素期間となる。
【００３７】
画像変換回路１０において、補間済色差信号を出力するに際して、輝度信号Ｙｉが輝度信号入力端子１６に入力されると共に、情報量が低減された色差信号Ｃｂｊ，Ｃｒｊが、各別の色差信号入力端子２６ｂ，２６ｒに入力され、かつ、補間位置信号が補間位置信号入力端子３９に入力される。
【００３８】
輝度信号は、順次、遅延回路１８、２０で所定時間、例えば、１画素時間だけ遅延されてそれぞれの遅延回路から出力される。遅延回路１８から出力される輝度信号は、色差信号の補間対象位置に対応する（信号挿入期間の）輝度信号となる。
入力される輝度信号、各遅延回路１８、２２で遅延された輝度信号は、輝度相関検出回路２２に入力される。
【００３９】
輝度相関検出回路２２は、上記３つの輝度信号から補間係数を出力する。すなわち、図２に示すように、図３の（１）に示す輝度信号Ｙｉと輝度信号Ｙ（ｉ＋１）（ｉは、１，２，３，…）との差の絶対値、例えば、輝度信号Ｙ１と輝度信号Ｙ２との差の絶対値を絶対値演算回路２２１で取り、輝度信号Ｙ（ｉ＋１）と輝度信号Ｙ（ｉ＋２）との差の絶対値、例えば、輝度信号Ｙ３と輝度信号Ｙ２との差の絶対値を絶対値演算回路２２２で取る。そして、絶対値演算回路２２１及び絶対値演算回路２２２で取られた絶対値のいずれの方が小さいかを最小値検出回路２２３で判定して小さい方の絶対値を出力する。
出力された絶対値が、画素値が取る最大輝度レベルに対してどの位の値になるかを相関レベル検出回路２２４で求めて補間係数αとして出力する。
図４に示すように、補間係数αが０に近いほど輝度信号Ｙ１との相関が低く、１に近いほど輝度信号Ｙ３との相関が高い。
【００４０】
上述した輝度信号の画像変換回路１０への入力と平行して色差信号入力端子２６ｂ、２６ｒに情報量が低減されて入力された色差信号Ｃｂｊ、Ｃｒｊ（図３の（２）及び（４））は、また、遅延回路２８ｂ，３２ｂ、２８ｒ，３２ｒで、順次、１画素時間だけ遅延される。遅延回路３２ｂ，３２ｒから出力された色差信号Ｃｂｊ、Ｃｒｊは、切替回路４０ｂ、４０ｒの一方の入力へ供給される。
色差信号入力端子２６ｂ、２６ｒに供給された色差信号Ｃｂｊ、Ｃｒｊは、乗算回路３０ｂ、３０ｒにおいて順次（１−α）倍される。また、遅延回路３２ｂ、３２ｒで遅延された色差信号Ｃｂ（ｊ＋１）、Ｃｒ（ｊ＋１）は、乗算回路３４ｂ、３４ｒにおいて順次α倍される。
【００４１】
今、色差信号Ｃｂｊ、Ｃｒｊが乗算回路３０ｂ、３０ｒで（１−α）倍され、色差信号Ｃｂ（ｊ＋１）、Ｃｒ（ｊ＋１）が乗算回路３４ｂ，３４ｒでα倍されると、乗算回路３０ｂ、３０ｒで（１−α）倍された色差信号（１−α）Ｃｂｊ、（１−α）Ｃｒｊと、乗算回路３４ｂ，３４ｒでα倍された色差信号αＣｂ（ｊ＋１）、αＣｒ（ｊ＋１）とが、対応する加算回路３６ｂ，３６ｒで加算され、加算された色差信号（１−α）Ｃｂｊ＋αＣｂ（ｊ＋１）＝Ｃｂｊ（ｊ＋１）、（１−α）Ｃｒｊ＋αＣｒ（ｊ＋１）＝Ｃｒｊ（ｊ＋１）は、対応する遅延回路３８ｂ，３８ｒで１画素時間だけ遅延される。遅延回路３８ｂ，３８ｒから出力された色差信号Ｃｂｊ（ｊ＋１）、Ｃｒｊ（ｊ＋１）は、切替回路４０ｂ，４０ｒの他方の入力へ供給される。
これらの遅延と乗算、加算及び遅延とが、２画素時間毎に順次行われる。
【００４２】
このような遅延と乗算、加算及び遅延との動作が順次行われるのと並行して、切替回路４０ｂ，４０ｒには、補間位置信号（図３の（６））が供給されているから、補間対象位置以外の色差信号Ｃｂｊの前半期間中の色差信号Ｃｂｊ（図３の（３））、補間対象位置以外の色差信号Ｃｒｊの前半期間中の色差信号Ｃｒｊ（図３の（５））が、それぞれ互いに同期したタイミングで替回路４０ｂ，４０ｒから出力される一方、補間対象位置（ｉが偶数になる輝度信号Ｙｉ、例えば、輝度信号Ｙ２、Ｙ４等に対応する期間）に対応する色差信号としての補間信号Ｃｂｊ（ｊ＋１）、Ｃｒｊ（ｊ＋１）が、それぞれ色差信号Ｃｂｊ、Ｃｒｊの後半期間中に切替回路４０ｂ，４０ｒから出力される。
このようにして、画像変換回路１０の切替回路４０ｂ，４０ｒから補間済色差信号Ｃｂｊ（ｊ＋１），Ｃｂ（ｊ＋１）（ｊ＋２），…、Ｃｒｊ（ｊ＋１），Ｃｒ（ｊ＋１）（ｊ＋２），…が出力される。
【００４３】
上述したこの発明についての効果を図５を参照して具体的に説明する。
図５の（ａ）は、従来方式による色差信号の補間例を示し、図５の（ｂ）は、この発明による色差信号の補間例を示す。比較の都合上、図５では、入力される輝度信号及び色差信号の信号状態は、従来方式とこの発明とで同一としてあり、図５の（ａ）及び（ｂ）は、画像変換回路の出力を示している。図５の（ａ）の（１）及び（２）並びに（ｂ）の（１）及び（２）は、それぞれ、輝度信号及び補間済色差信号である。
従来方式でも、また、この発明でも、画像変換回路から出力される輝度信号は、図５の（ａ）及び（ｂ）に示すように、同じである。
【００４４】
画像変換回路から出力される補間済色差信号は、従来方式では、輝度信号の相関には関係なく、輝度信号に対応し、伝送されて来ていない色差信号の復元（再生）の際の補間信号を当該補間対象の色差信号前後の色差信号Ｃｂｊ，Ｃｂ（ｊ＋１）、Ｃｒｊ，Ｃｒ（ｊ＋１）の２分の１、すなわち、Ｃｂｊ＋Ｃｂ（ｊ＋１）／２、Ｃｒｊ＋Ｃｂ（ｊ＋１）／２としている。図５の（ａ）に示す例では、補間済色差信号Ｃｂｊ＋Ｃｂ（ｊ＋１）／２［Ｃｒｊ＋Ｃｂ（ｊ＋１）／２］は５０となる（図５の（ａ）の（２））。
これに対して、この実施例では、輝度信号から補間係数を求めており、その補間係数は、図５の（ｂ）に示す輝度信号列から０.７となる。そして、輝度信号に対応し、伝送されて来ていない色差信号を復元（生成）する際の補間信号は、上述したように、復元しようとする色差信号前後の色差信号Ｃｂｊ，Ｃｂ（ｊ＋１）、Ｃｒｊ，Ｃｂ（ｊ＋１）としたとき、（１−α）Ｃｂｊ＋αＣｂ（ｊ＋１）、（１−α）Ｃｒｊ＋αＣｒ（ｊ＋１）として求められるから、図５の（ｂ）に示す例では、補間済色差信号（１−α）Ｃｂｊ＋αＣｂ（ｊ＋１）［（１−α）Ｃｒｊ＋αＣｒ（ｊ＋１）］は６２となる（図５の（ｂ）の（２））。
【００４５】
画像変換回路から出力される補間済色差信号は、従来方式では補間対象の色差信号前後の色差信号との信号差は同等であるが、この実施例によれば、相関の強い方の色差信号Ｃｂ（ｊ＋１），Ｃｒ（ｊ＋１）との信号差が小さく、すなわち、その色の方へずれ、相関の弱い方の色差信号Ｃｂｊ，Ｃｒｊとの信号差が大きく、すなわち、その色の方から離れる。
【００４６】
このように、この実施例の構成によれば、輝度信号Ｙの情報量と色差信号Ｃｂの情報量と色差信号Ｃｒの情報量との割合がＹ：Ｃｂ：Ｃｒ＝４：２：２である画像信号が伝送されて来たとき、補間対象位置に先行する色差信号をそのまま補間済色差信号として出力した後、補間対象位置の色差信号については、補間対象位置に対応する輝度信号前後の輝度信号間の相関を取って補間係数αを求め、補間対象位置に先行する色差信号にαを乗じ、かつ、補間対象位置に後続する色差信号に（１−α）を乗じてαを乗じられた色差信号と（１−α）を乗じられた色差信号との和を補間対象位置の色差信号として出力し、補間対象位置に後続する色差信号をそのまま補間済色差信号として出力するようにして、輝度信号Ｙの情報量と色差信号Ｃｂの情報量と色差信号Ｃｒの情報量との割合をＹ：Ｃｂ：Ｃｒ＝４：４：４である画像信号を復元しているから、画像信号内の色差信号が圧縮されて伝送されて来たとしても、その圧縮されている色差信号、すなわち、補間対象位置の色差信号を輝度相関の強い方の色にずらせることが可能になる。
【００４７】
これにより、画像変換回路から出力される画像信号を画像表示に供したとき、表示される色に生ずる滲み、偽色の抑圧度合を高めることができる。また、表示画面上において輝度差が大きくなったとしても、その輝度差の大きい位置において色ずれのように見える現象も抑えることもできる。
【実施例２】
【００４８】
図６は、この発明の実施例２である画像変換回路を示す図、また、図７は、同画像変換回路で用いる相関検出を図解した図である。
この実施例の構成が、実施例１のそれと大きく異なるところは、補間係数の発生に輝度信号のほかに色差信号をも考慮した点にある。
すなわち、この実施例の画像変換回路１０Ａの相関検出回路２２Ａは、図６に示すように、入力を輝度信号入力端子１６、遅延回路１８及び遅延回路２０の出力に接続されるほか、色差信号入力端子２６ｂ、２６ｒに接続され、かつ、遅延回路３２ｂ、３２ｒの出力に接続されて構成されている。
【００４９】
相関検出回路２２Ａは、補間対象位置に対応する信号期間の輝度信号と該信号期間前後の１つの信号期間の輝度信号の相関結果に色差信号を考慮に入れるようにして構成されている。すなわち、輝度相関によって得られる補間係数が適切な値か否かの判定に補完対象位置前後の色差信号を用いる。
例えば、補間済色差信号がその前後の実際の色差信号に比して著しく異なるときは、輝度相関に基づいて求められ、当該補間済色差信号の生成に用いられる補間係数の代わりに、補間対象位置前後の色差信号の平均値を取る値の補間係数を出力する。又は、補間対象位置前後の色差信号を考慮したとき、輝度信号の相関だけを考慮した場合に比してより適切な補間済色差信号を生成し得ると判断されるならば、輝度相関によって決定された補間係数をその分だけ修正した補間係数を出力する。
この構成を除くこの実施例の構成は、実施例１の構成と同一なので、それら各部には同一の参照符号を付してその逐一の説明は省略する。
【００５０】
次に、図６及び図７を参照して、この実施例の動作について説明する。
この実施例においても、画像信号は、輝度信号Ｙと、色差信号Ｃｂと、色差信号Ｃｒとにより構成され、輝度信号Ｙの情報量と、色差信号Ｃｂの情報量と、色差信号Ｃｒの情報量との割合は、例えば、Ｙ：Ｃｂ：Ｃｒ＝４：２：２であるとする。
したがって、輝度信号Ｙｉ（１画素期間毎に順次入力される輝度信号Ｙのうちのｉ番目の輝度信号を表す。図３において、ｉ＝１，２，３，…）及び輝度信号Ｙ（ｉ＋１）の画素期間（画素の信号期間）が、色差信号Ｃｂｊ、色差信号Ｃｂｊの信号期間（１信号期間毎に順次入力される色差信号Ｃｂ、Ｃｒのうちのｊ番目の色差信号を表す。図３において、ｊ＝１，２，３，…）となる。つまり、色差信号Ｃｂｊ、色差信号Ｃｂｊの１信号期間が、２画素期間となる。
【００５１】
画像変換回路１０Ａにおいて、補間済色差信号を出力するに際して、輝度信号Ｙｉが輝度信号入力端子１６に入力されること、情報量が削減された色差信号Ｃｂｊ，Ｃｒｊが各別に色差信号入力端子２６ｂ，２６ｒに入力されること及び補間位置信号が補間位置信号入力端子３９に入力されることは、第１実施例と同じである。
【００５２】
相関検出回路２２Ａには、実施例１と同様、輝度信号入力端子１６、遅延回路１８及び遅延回路２０から時系列上順次異なる画素対応の輝度信号が供給されるほか、色差信号入力端子２６ｂ及び遅延回路３２ｂと色差信号入力端子２６ｒ及び遅延回路３２ｒとから時系列上補間対象位置前後の色差信号が供給される。
そして、相関検出回路２２Ａにおいて、実施例１と同様の輝度相関が取られるほか、上述したようにして、輝度相関によって得られる補間係数が適切な値か否かの判定に色差信号が用いられ、相関検出回路２２Ａから判定結果としての補間係数βが出力される。
【００５３】
すなわち、図７に示すように、輝度相関だけから見た補間係数βは０に近いほど輝度信号Ｙ１との相関が低く、１に近いほど輝度信号Ｙ３との相関が高いが、補間対象位置前後の色差信号から見て補間済色差信号がより適切な信号状態に補間し得る場合には、その補間の方へ補間係数βを補間対象位置前後の色差信号に応じた適用率だけ修正する。
上記修正は、例えば、補間済色差信号がその前後の実際の色差信号に比して著しく異なるときは、輝度相関から得られた補間係数の代わりに、補間対象位置前後の色差信号の平均値を取る値の補間係数βを出力する。
【００５４】
このような補間係数βの算定が行われた後の当該補間係数βの補間済色差信号出力回路１４での用いられ方は、実施例１と同様である。
上述した輝度信号の画像変換回路１０Ａへの入力と平行して色差信号入力端子２６ｂ，２６ｒに情報量が削減されて入力された色差信号Ｃｂ，Ｃｒは、また、遅延回路２８ｂ，３２ｂ、２８ｂ，３２ｒで、順次、１画素時間だけ遅延される。遅延回路３２ｂ、３２ｒから出力された色差信号Ｃｂ，Ｃｒは、各別に切替回路４０ｂ、４０ｒの一方の入力へ供給される。
【００５５】
色差信号入力端子２６ｂ、２６ｒから供給された色差信号Ｃｂｊ、Ｃｒｊは、対応する乗算回路３０ｂ、３０ｒにおいて（１−β）倍される。また、遅延回路３２ｂ、３２ｒで遅延された色差信号Ｃｂ（ｊ＋１）、Ｃｒ（ｊ＋１）は、対応する乗算回路３４ｂ、３４ｒにおいてβ倍される。
【００５６】
乗算回路３０ｂ、３０ｒで（１−β）倍された色差信号（１−β）Ｃｂｊ、（１−β）Ｃｒｊと、乗算回路３４ｂ、３４ｒでβ倍された色差信号βＣｂ（ｊ＋１）、βＣｒ（ｊ＋１）とが、加算回路３６ｂ、３６ｒで加算され、加算された色差信号（１−β）Ｃｂｊ＋βＣｂ（ｊ＋１）＝Ｃｂｊ（ｊ＋１）、（１−β）Ｃｒｊ＋βＣｒ（ｊ＋１）＝Ｃｂｒ（ｒ＋１）は、遅延回路３８ｂ、３８ｒで１画素時間だけ遅延される。遅延回路３８ｂ、３８ｒから出力された色差信号Ｃｂｊ（ｊ＋１）、Ｃｂｒ（ｒ＋１）は、それぞれ切替回路４０ｂ、４０ｒの他方の入力へ供給される。
【００５７】
上述した遅延と乗算、加算及び遅延との動作が順次行われるのと並行して、切替回路４０ｂ，４０ｒには、補間位置信号（図３の（６））が供給されているから、補間対象位置以外の色差信号Ｃｂの前半期間中の色差信号Ｃｂｊ（図３の（３））及び補間対象位置以外の色差信号Ｃｒの前半期間中の色差信号Ｃｒｊ（図３の（５））が、それぞれ互いに同期したタイミングで切替回路４０ｂ，４０ｒから出力される一方、補間対象位置（ｉが偶数になるときの輝度信号Ｙｉ（Ｙ２、Ｙ４等）に対応する期間）に対応する色差信号としての補間済色差信号Ｃｂｊ（ｊ＋１）、Ｃｒｊ（ｊ＋１）が、それぞれ色差信号Ｃｂｊ、Ｃｒｊの後半期間中に切替回路４０ｂ，４０ｒから出力される。
このようにして、画像変換回路１０Ａの切替回路４０ｂ、４０ｒから補間済色差信号Ｃｂｊ（ｊ＋１），Ｃｂ（ｊ＋１）（ｊ＋２），…、Ｃｒｊ（ｊ＋１），Ｃｒ（ｊ＋１）（ｊ＋２），…が出力される。
【００５８】
このように、この実施例の構成によれば、補間対象位置に先行する色差信号をそのまま補間済色差信号として出力した後、補間対象位置の色差信号については、補間対象位置に対応する輝度信号前後の輝度信号と補完対象位置に対応する信号期間前後の色差信号との相関を取って補間係数βを求め、補間対象位置に先行する色差信号にβを乗じ、かつ、補間対象位置に後続する色差信号に（１−β）を乗じてβを乗じられた色差信号と（１−β）を乗じられた色差信号との和を補間対象位置の色差信号として出力し、補間対象位置に後続する色差信号をそのまま補間済色差信号として出力するようにして、色差信号の情報量が輝度信号のそれに対してＹ：Ｃｂ：Ｃｒ＝４：４：４である画像信号の色差信号を復元しているから、画像信号内の色差信号を圧縮されて伝送されて来たとしても、その圧縮されている色差信号、すなわち、補間対象位置の色差信号の生成に輝度相関に色差相関も加味され、輝度相関及び色差相関の強い方への色のずらせる方をより精度高くし得る。
【００５９】
これにより、画像変換回路から出力される画像信号を画像表示に供したとき、表示される色に生ずる滲み、偽色をより高精度に抑えることができる。
また、表示画面上において輝度差が大きくなったとしても、その輝度差の大きい位置において色ずれのように見える現象もより一層抑えることもできる。
【実施例３】
【００６０】
図８は、この発明の実施例３である画像変換回路を示す図、また、図９は、同画像変換回路に用いる輝度相関検出回路を示す図である。
この実施例の構成が、実施例１のそれと大きく異なるところは、補間係数の発生に用いる輝度信号の数を多くした点にある。
【００６１】
すなわち、この実施例の画像変換回路１０Ｂは、図８に示すように、入力を輝度信号入力端子１６、遅延回路１８、遅延回路１９、遅延回路２０及び遅延回路２１と、入力を輝度信号入力端子１６、遅延回路１８、遅延回路１９、遅延回路２０及び遅延回路２１の出力に接続された輝度相関検出回路２２Ｂと、色差信号入力端子２６ｂ及び輝度相関検出回路２２Ｂの出力に接続された第１の補間済色差信号出力回路１４ｂと、色差信号入力端子２６ｒ及び輝度相関検出回路２２Ｂの出力に接続された第２の補間済色差信号出力回路１４ｒとで構成されている。第１の補間済色差信号出力回路１４ｂの出力は、補間済色差信出力端子４２ｂに接続され、第２の補間済色差信号出力回路１４ｒの出力は、補間済色差信出力端子４２ｒに接続されている。
【００６２】
輝度相関検出回路２２Ｂは、図９に示すように、遅延回路１８、遅延回路１９、遅延回路２０及び遅延回路２１の各入出力間に接続された絶対値演算回路２３１、２３２、２３３、２３４と、絶対値演算回路２３１、２３２の出力に接続された平均化回路２３５と、絶対値演算回路２３３、２３４の出力に接続された平均化回路２３６と、平均化回路２３５及び平均化回路２３６の出力に接続された最小値検出回路２３７と、最小値検出回路２３７の出力に接続された相関レベル検出回路２３８とから成る。遅延回路１８及び絶対値演算回路２３１の入力は、輝度信号入力端子１６に接続されている。遅延回路２１の出力は、輝度信号出力端子２４に接続され、相関レベル検出回路２３８の出力は、第１の補間済色差信号出力回路１４ｂ及び第２の補間済色差信号出力回路１４ｒに接続されている。
この構成を除くこの実施例の構成は、実施例１の構成と同一なので、それら各部には同一の参照符号を付してその逐一の説明は省略する。
【００６３】
次に、図８及び図９を参照して、この実施例の動作について説明する。
この実施例においても、画像信号は、輝度信号Ｙと、色差信号Ｃｂと、色差信号Ｃｒとにより構成され、輝度信号Ｙの情報量と、色差信号Ｃｂの情報量と、色差信号Ｃｒの情報量との割合は、例えば、Ｙ：Ｃｂ：Ｃｒ＝４：２：２であるとする。
したがって、輝度信号Ｙｉ（１画素期間毎に順次入力される輝度信号Ｙのうちのｉ番目の輝度信号を表す。図３において、ｉ＝１，２，３，…）及び輝度信号Ｙ（ｉ＋１）の画素期間（画素の信号期間）が、色差信号Ｃｂｊ、色差信号Ｃｂｊの信号期間（１信号期間毎に順次入力される色差信号Ｃｂ、Ｃｒのうちのｊ番目の色差信号を表す。図３において、ｊ＝１，２，３，…）となる。つまり、色差信号Ｃｂｊ、色差信号Ｃｒｊの１信号期間が、２画素期間となる。
【００６４】
画像変換回路１０Ｂにおいて、補間済色差信号を出力するに際して、輝度信号Ｙｉが輝度信号入力端子１６に入力されること、情報量が低減された２つの色差信号Ｃｂｊ、Ｃｒｊが各別の色差信号入力端子２６ｂ，２６ｒに入力されること及び補間位置信号が補間位置信号入力端子３９に入力されることは、実施例１と同じである。
【００６５】
輝度相関検出回路２２ＢＢには、輝度信号入力端子１６、遅延回路１８乃至遅延回路２１から時系列上異なる画素時間の輝度信号が供給される。
そして、これらの信号は、絶対値演算回路２３１において輝度信号入力端子１６から入力された輝度信号と遅延回路１８から出力された輝度信号との差の絶対値が取られ、絶対値演算回路２３２において遅延回路１８及び遅延回路１９から出力された２つの輝度信号の差の絶対値が取られる。
また、絶対値演算回路２３３において遅延回路１９及び遅延回路２０から出力された２つの輝度信号の差の絶対値が取られ、絶対値演算回路２３４において遅延回路２０及び遅延回路２１から出力された２つの輝度信号の差の絶対値が取られる。
【００６６】
そして、絶対値演算回路２３１、２３２からそれぞれ出力された２つの絶対値の平均が平均化回路２３５で取られ、絶対値演算回路２３３、２３４からそれぞれ出力された２つの絶対値の平均が平均化回路２３６で取られる。
これら２つの平均化回路２３５、２３６から出力された平均値は、最小値検出回路２３７に入力されて小さい方の値が最小値検出回路２３７から出力され、相関レベル検出回路２３８に入力されて相関レベル検出回路２３８において小さい方の平均値が最大レベルの平均値に対する割合、すなわち、補間係数γが算定される。
【００６７】
輝度相関検出回路２２Ｂから出力された補間係数γの補間済色差信号出力回路１４ｂ，１４ｒでの用いられ方は、実施例１と同様である。
すなわち、上述した輝度信号の画像変換回路１０Ｂへの入力と平行して２つの色差信号入力端子２６ｂ，２６ｒに各別に入力された２つの色差信号Ｃｂ、Ｃｒは、また、遅延回路２８ｂ，３２ｂ、２８ｒ，３２ｒで、順次、１画素時間だけ遅延される。遅延回路３２ｂ，３２ｒから出力された２つの色差信号Ｃｂ、Ｃｒは、各別に切替回路４０ｂ、４０ｒの一方の入力へ供給される。
色差信号入力端子２６ｂ，２６ｒに入力された色差信号Ｃｂｊ、Ｃｒｊは、乗算回路３０ｂ，３０ｒにおいて（１−γ）倍される。また、遅延回路３２ｂ，３２ｒで遅延された色差信号Ｃｂ（ｊ＋１）、Ｃｒ（ｊ＋１）は、乗算回路３４ｂ、３４ｒにおいてγ倍される。
【００６８】
乗算回路３０ｂ、３０ｒで（１−γ）倍された色差信号（１−γ）Ｃｂｊ、（１−γ）Ｃｒｊと、乗算回路３４ｂ、３４ｒでγ倍された色差信号γＣｂ（ｊ＋１）、γＣｒ（ｊ＋１）とが、それぞれ加算回路３６ｂ、３６ｒで加算され、加算された色差信号（１−γ）Ｃｂｊ＋γＣｂ（ｊ＋１）＝Ｃｂｊ（ｊ＋１）、（１−γ）Ｃｒｊ＋γＣｒ（ｊ＋１）＝Ｃｒｊ（ｊ＋１）は、対応する遅延回路３８ｂ、３８ｒで１画素時間だけ遅延される。遅延回路３８ｂ、３８ｒから出力された色差信号Ｃｂｊ（ｊ＋１）、Ｃｒｊ（ｊ＋１）が、対応する切替回路４０ｂ、４０ｒの他方の入力へ供給される。
【００６９】
これらの切替回路４０ｂ、４０ｒには、補間位置信号（図３の（６））が供給されているから、補間対象位置以外の色差信号Ｃｂｊの前半期間中の色差信号（図３の（３）中のＣｂｊ）が、切替回路４０ｂから出力されるのと同期して、補間対象位置以外の色差信号Ｃｒｊの前半期間中の色差信号（図３の（５）中のＣｒｊ）が、切替回路４０ｒから出力される一方、補間対象位置（ｉが偶数になる輝度信号Ｙｉ、例えば、Ｙ２、Ｙ４等に対応する期間）の色差信号としての補間済色差信号Ｃｂｊ（ｊ＋１），Ｃｂ（ｊ＋１）（ｊ＋２）等が、順次、図３の（３）に示す色差信号Ｃｂｉ，Ｃｂ（ｊ＋１）等に続いて切替回路４０ｂから出力されるのと同期して、補間対象位置（ｉが偶数になる輝度信号Ｙｉ、例えば、Ｙ２、Ｙ４等に対応する期間）の色差信号としての補間済色差信号Ｃｒｊ（ｊ＋１），Ｃｒ（ｊ＋１）（ｊ＋２）等が、順次、図３の（５）に示す色差信号Ｃｒｊ，Ｃｒ（ｊ＋１）等に続いて切替回路４０ｒから出力される。
このようにして、画像変換回路１０Ｂの切替回路４０ｂ、４０ｒから補間済色差信号Ｃｂｊ（ｊ＋１），Ｃｂ（ｊ＋１）（ｊ＋２），…、Ｃｒｊ（ｊ＋１），Ｃｒ（ｊ＋１）（ｊ＋２），…が出力される。
【００７０】
このように、この実施例の構成によれば、補間対象位置に先行する色差信号をそのまま補間済色差信号として出力した後、補間対象位置の色差信号については、補間対象位置に対応する輝度信号前後の２つずつの輝度信号について相関を求めて補間係数γを求め、補間対象位置に先行する色差信号にγを乗じ、かつ、補間対象位置に後続する色差信号に（１−γ）を乗じてγを乗じられた色差信号と（１−γ）を乗じられた色差信号との和を補間対象位置の色差信号として出力し、補間対象位置に後続する色差信号をそのまま補間済色差信号として出力するようにして、色差信号の情報量が輝度信号のそれに対してＹ：Ｃｂ：Ｃｒ＝４：４：４である画像信号の色差信号を生成しているから、画像信号内の輝度信号に対応する色差信号が圧縮されて伝送されて来たとしても、その圧縮されている色差信号、すなわち、補間対象位置の色差信号の生成においてノイズを低減しつつ補間精度高くし得る。
【００７１】
この補間精度を高くし得る点から、画像変換回路から出力される画像信号を画像表示に供したとき、表示される色に生ずる滲み、偽色の発生をより高精度に抑えることができる。
また、表示画面上において輝度差が大きくなったとしても、その輝度差の大きい位置において色ずれのように見える現象も一層抑えることもできる。
【実施例４】
【００７２】
図１０は、この発明の実施例４である画像変換回路を示す図である。
この実施例の構成が、実施例１のそれと大きく異なるところは、補間係数の発生に補間対象位置前後２ずつの輝度信号のほかに色差信号をも考慮した点にある。
すなわち、この実施例の画像変換回路１０Ｃの輝度相関検出回路２２Ｃは、図１０に示すように、入力を輝度信号入力端子１６、遅延回路１８、遅延回路１９、遅延回路２０及び遅延回路２１の出力に接続されるほか、色差信号入力端子２６ｂ、２６ｒに接続され、かつ、遅延回路３２ｂ、３２ｒの出力に接続されて構成されている。
【００７３】
輝度相関検出回路２２Ｃは、補間対象位置前後２ずつの輝度信号についての相関結果に色差信号を考慮に入れるようにして構成されている。すなわち、相次ぐ４つの輝度信号のうちの時系列上で前後する２つずつの輝度信号の相関によって得られる補間係数が適切な値か否かの判定に補完対象位置前後の色差信号を用いる。
例えば、補間済色差信号がその前後の実際の色差信号に比して著しく異なるときは、時系列上で前後する２つずつの輝度信号の相関に基づいて求められ当該補間済色差信号の生成に用いられる補間係数の代わりに、補間対象位置前後の色差信号の平均値を取る値の補間係数を出力する。又は、補間対象位置前後の色差信号を考慮したとき、輝度信号の相関だけを考慮した場合に比してより適切な補間済色差信号を生成し得ると判断されるならば、輝度相関によって決定された補間係数をその分だけ修正した補間係数を出力する。
この構成を除くこの実施例の構成は、実施例１の構成と同一なので、それら各部には同一の参照符号を付してその逐一の説明は省略する。
【００７４】
次に、図１０を参照して、この実施例の動作について説明する。
この実施例においても、画像信号は、輝度信号Ｙと、色差信号Ｃｂと、色差信号Ｃｒとにより構成され、輝度信号Ｙの情報量と、色差信号Ｃｂの情報量と、色差信号Ｃｒの情報量との割合は、例えば、Ｙ：Ｃｂ：Ｃｒ＝４：２：２であるとする。
したがって、輝度信号Ｙｉ（１画素期間毎に順次入力される輝度信号Ｙのうちのｉ番目の輝度信号を表す。図３において、ｉ＝１，２，３，…）及び輝度信号Ｙ（ｉ＋１）の画素期間（画素の信号期間）が、色差信号Ｃｂｊ、色差信号Ｃｂｊの信号期間（１信号期間毎に順次入力される色差信号Ｃｂ、Ｃｒのうちのｊ番目の色差信号を表す。図３において、ｊ＝１，２，３，…）となる。つまり、色差信号Ｃｂｊ、色差信号Ｃｒｊの１信号期間が、２画素期間となる。
【００７５】
画像変換回路１０Ｃにおいて、補間済色差信号を出力するに際して、輝度信号Ｙｉが輝度信号入力端子１６に入力されること、情報量が低減された色差信号Ｃｂｊ，Ｃｒｊが各別に色差信号入力端子２６ｂ，２６ｒに入力されること及び補間位置信号が補間位置信号入力端子３９に入力されることは、実施例１と同じである。
【００７６】
輝度相関検出回路２２Ｃには、実施例２と同様、輝度信号入力端子１６、遅延回路１８乃至遅延回路２１から時系列上順次異なる画素対応の輝度信号が供給されるほか、色差信号入力端子２６ｂ及び遅延回路３２ｂと色差信号入力端子２６ｒ及び遅延回路３２ｒとから時系列上補間対象位置前後の色差信号が供給される。
そして、輝度相関検出回路２２Ｃにおいて、実施例３と同様の輝度相関が取られるほか、上述したようにして、輝度相関によって得られた補間係数が適切な値か否かの判定に補間対象位置前後の色差信号が用いられ、輝度相関検出回路２２Ｃから判定結果としての補間係数δが出力される。
【００７７】
すなわち、図７に示すように、輝度相関だけから見た補間係数は０に近いほど輝度信号Ｙ１との相関が低く、１に近いほど輝度信号Ｙ３との相関が高いが、補間対象位置前後の色差信号から見て補間済色差信号がより適切な信号状態に補間し得る場合には、その補間の方へ補間係数δを補間対象位置前後の色差信号に応じた適用率だけ修正する。
上記修正は、例えば、補間済色差信号がその前後の実際の色差信号に比して著しく異なるときは、輝度相関から得られた補間係数の代わりに、補間対象位置前後の色差信号の平均値を取る値の補間係数δを出力する。
【００７８】
このような補間係数δの算定が行われた後の当該補間係数δの補間済色差信号出力回路１４での用いられ方は、実施例１と同様である。
上述した輝度信号の画像変換回路１０Ｃへの入力と平行して色差信号入力端子２６ｂ，２６ｒに情報量が低減されて入力された色差信号Ｃｂｊ、Ｃｒｊは、また、遅延回路２８ｂ，３２ｂ、２８ｒ，３２ｒで、順次、１画素時間だけ遅延される。遅延回路３２ｂ、３２ｒから出力された色差信号Ｃｂ（ｊ＋１）、Ｃｒ（ｊ＋１）は、各別に切替回路４０ｂ、４０ｒの一方の入力へ供給される。
【００７９】
色差信号入力端子２６ｂ、２６ｒから供給された色差信号Ｃｂｊ、Ｃｒｊは、対応する乗算回路３０ｂ、３０ｒにおいて（１−δ）倍される。また、遅延回路３２ｂ、３２ｒで遅延された色差信号Ｃｂ（ｊ＋１）、Ｃｒ（ｊ＋１）は、対応する乗算回路３４ｂ、３４ｒにおいてδ倍される。
乗算回路３０ｂ、３０ｒで（１−δ）倍された色差信号（１−δ）Ｃｂｊ、（１−δ）Ｃｒｊと、乗算回路３４ｂ、３４ｒでδ倍された色差信号δＣｂ（ｊ＋１）、δＣｒ（ｊ＋１）とが、加算回路３６ｂ、３６ｒで加算され、加算された色差信号（１−δ）Ｃｂｊ＋δＣｂ（ｊ＋１）＝Ｃｂｊ（ｊ＋１）、（１−δ）Ｃｒｊ＋δＣｒ（ｊ＋１）＝Ｃｂｒ（ｒ＋１）は、遅延回路３８ｂ、３８ｒで１画素時間だけ遅延される。遅延回路３８ｂ、３８ｒから出力された色差信号Ｃｂｊ（ｊ＋１）、Ｃｂｒ（ｒ＋１）は、それぞれ切替回路４０ｂ、４０ｒの他方の入力へ供給される。
【００８０】
上述した遅延と乗算、加算及び遅延との動作が順次行われるのと並行して、切替回路４０ｂ，４０ｒには、補間位置信号（図３の（６））が供給されているから、補間対象位置以外の色差信号Ｃｂの前半期間中の色差信号Ｃｂｊ（図３の（３）のＣｂｊ）及び補間対象位置以外の色差信号Ｃｒの前半期間中の色差信号Ｃｒｊ（図３の（５）のＣｒｊ）が、それぞれ互いに同期したタイミングで切替回路４０ｂ，４０ｒから出力される一方、補間対象位置（ｉが偶数になる輝度信号Ｙｉ（Ｙ２、Ｙ４等）に対応する期間）に対応する色差信号としての補間済色差信号Ｃｂｊ（ｊ＋１）、Ｃｒｊ（ｊ＋１）が、それぞれ色差信号Ｃｂｊ、Ｃｒｊの後半期間中に切替回路４０ｂ，４０ｒから出力される。
このようにして、画像変換回路１０Ｃの切替回路４０ｂ、４０ｒから補間済色差信号Ｃｂｊ（ｊ＋１），Ｃｂ（ｊ＋１）（ｊ＋２），…、Ｃｒｊ（ｊ＋１），Ｃｒ（ｊ＋１）（ｊ＋２），…が出力される。
【００８１】
このように、この実施例の構成によれば、補間対象位置に先行する色差信号をそのまま補間済色差信号として出力した後、補間対象位置の色差信号については、補間対象位置に対応する輝度信号前後の相次ぐ２つの輝度信号と補完対象位置前後の色差信号との相関を取って補間係数δを求め、補間対象位置に先行する色差信号にδを乗じ、かつ、補間対象位置に後続する色差信号に（１−δ）を乗じてδを乗じられた色差信号と（１−δ）を乗じられた色差信号との和を補間対象位置の色差信号として出力し、補間対象位置に後続する色差信号をそのまま補間済色差信号として出力するようにして、Ｙ：Ｃｂ：Ｃｒ＝４：２：２である画像信号をＹ：Ｃｂ：Ｃｒ＝４：４：４である画像信号を復元しているから、Ｙ：Ｃｂ：Ｃｒ＝４：２：２の画像信号が伝送されて来たとしても、情報量が低減させられている色差信号、すなわち、補間対象位置の色差信号の生成をノイズの低減を享受しつつより補間精度高くし得る。
【００８２】
この補間精度を高くし得るという点から、画像変換回路から出力される画像信号を画像表示に供したとき、表示される色に生ずる滲み、偽色の発生をより高精度に抑えることができる。
また、表示画面上において輝度差が大きくなったとしても、その輝度差の大きい位置において色ずれのように見える現象もより一層抑えることもできる。
【実施例５】
【００８３】
図１１は、この発明の実施例５である画像変換処理を行う制御部を示す図、図１２は、同制御部で行われる処理手順を示す処理フローである。
この実施例の構成が、実施例１と大きく異なるところは、実施例１の画像信号の変換処理をプログラムで実施するようにした点である。
【００８４】
すなわち、図１１は、図１に示す画像変換回路に相当する制御部を示す。この制御部で行う画像信号の変換処理は、制御部５０、例えば、ＣＰＵの中で実行されるプログラムの処理手順で遂行されるように構成されている。そのプログラムは、図示しないメモリ（記憶装置）に記憶されており、そのメモリからＣＰＵ５０によって読み出されてＣＰＵ５０において実行されることにより、図１に示す画像変換回路と同等の画像信号の変換処理を行う。
ＣＰＵ５０には、その入力側に輝度信号入力端子５２、色差信号Ｃｂを供給して来る色差信号入力端子５４及び色差信号Ｃｒを供給して来る色差信号入力端子５６が接続され、出力側に輝度信号出力端子５８、補間済色差信号Ｃｂを出力する補間済色差信号出力端子６０及び補間済色差信号Ｃｒを出力する補間済色差信号出力端子６２が接続されている。
この構成を除くこの実施例の構成は、実施例１の構成と同一なので、それら各部には同一の参照符号を付してその逐一の説明は省略する。
【００８５】
次に、図１１及び図１２を参照して、この実施例の処理について説明する。
この実施例においても、画像信号は、輝度信号Ｙと、色差信号Ｃｂと、色差信号Ｃｒとにより構成され、輝度信号Ｙの情報量と、色差信号Ｃｂの情報量と、色差信号Ｃｒの情報量との割合は、例えば、Ｙ：Ｃｂ：Ｃｒ＝４：２：２であるとする。
したがって、輝度信号Ｙｉ及び輝度信号Ｙ（ｉ＋１）の画素期間（画素の信号期間）が、色差信号Ｃｂｊ、色差信号ＣＲｒｊの信号期間となる。つまり、色差信号Ｃｂｊ、色差信号Ｃｒｊの１信号期間が、２画素期間となる。
なお、輝度信号Ｙは、輝度信号入力端子５２からＣＰＵ５０に入力され、色差信号Ｃｂは、色差信号入力端子５４からＣＰＵ５０に入力され、色差信号Ｃｒは、色差信号入力端子５６からＣＰＵ５０に入力される。
【００８６】
この画像信号例において、図１の画像変換回路１０に相当するＣＰＵ５０において、画像信号の変換処理が開始されると、そのＣＰＵ５０において、輝度信号Ｙｉ（１画素期間毎に順次入力される輝度信号Ｙのうちのｉ番目の輝度信号を表す。図３において、ｉ＝１，２，３，…）及び情報量が低減された色差信号Ｃｂｊ，Ｃｒｊ（１信号期間毎に順次入力される色差信号Ｃｂ、Ｃｒのうちのｊ番目の色差信号を表す。図３において、ｊ＝１，２，３，…）の待ち受け状態となる（図１１のステップＳ１のＮ）。
画像信号が入力されて来ると（図１２のＳ１のＹ）、ｉ＝１及びｊ＝１とする初期設定が行われる（図１２のＳ２）。
【００８７】
順次、入力されて来る輝度信号Ｙｉ及び色差信号Ｃｂｊ，Ｃｒｊをメモリ内の記憶領域に記憶して行く。
そして、その記憶領域から順次輝度信号Ｙｉ及び輝度信号Ｙ（ｉ＋１）、色差信号Ｃｂｊ及び色差信号Ｃｂ（ｊ＋１）並びに色差信号Ｃｒｊ及び色差信号Ｃｒ（ｊ＋１）をＣＰＵ５０の実行部に読み込む（図１２のＳ３）。
【００８８】
画素期間がＹｉの画素期間であるか否かを判定する（図１２のＳ４）。画素期間がＹｉにあるならば（図１２のＳ４のＹ）、輝度信号Ｙｉ及び色差信号Ｃｂｊ、Ｃｒｊを当該画素期間に挿入して（図１２のＳ５）輝度信号Ｙｉを輝度信号出力端子５８に出力し、また、色差信号Ｃｂｊを補間済色差信号出力端子６０に出力し、色差信号Ｃｒｊを補間済色差信号出力端子６２に出力する。
【００８９】
そして、読み込まれた輝度信号Ｙｉ，Ｙ（ｉ＋１）に基づいて補間係数αｉを算出する（図１２のＳ６）。この補間係数αｉの算出の仕方は、実施例１で説明したものと同様である。
続いて、（１−αｉ）と色差信号Ｃｂｊ、Ｃｒｊとの乗算（図１２のＳ７）及びαｉと色差信号Ｃｂ（ｊ＋１）、Ｃｒ（ｊ＋１）との乗算（図１２のＳ８）を行い、乗算結果を用いて次の加算、すなわち、（１−α）Ｃｂｊ＋αＣｂ（ｊ＋１）＝Ｃｂｊ（ｊ＋１）、（１−α）Ｃｒｊ＋αＣｒ（ｊ＋１）＝Ｃｒｊ（ｊ＋１）を行う（図１２のＳ９）。
【００９０】
画素期間が輝度信号Ｙ（ｉ＋１）の画素期間であるか否かを判定する（図１２のＳ１０）。画素期間が輝度信号Ｙ（ｉ＋１）の画素期間にあるならば（図１２のＳ１０のＹ）、輝度信号Ｙ（ｉ＋１）及び色差信号Ｃｂｊ（ｊ＋１）、Ｃｒｊ（ｊ＋１）を当該画素期間に挿入して（図１２のＳ１１）輝度信号Ｙ（ｉ＋１）を輝度信号出力端子５８に出力し、また、色差信号Ｃｂｊ（ｊ＋１）を補間済色差信号出力端子６０に出力し、色差信号Ｃｒｊ（ｊ＋１）を補間済色差信号出力端子６２にする。
【００９１】
画素信号及び色差信号の有無を判定し（図１２のｓ１２）、画素信号の受信が無ければ（図１２のＳ１３のＮ）、上述した処理を終了するが、画像信号の受信中ならば（図１２のＳ１３のＹ）、同様の処理を繰り返すべく、ｉをｉ＋２に、また、ｊをｊ＋１に変更して（図１２のＳ１３）ステップＳ３に戻り、画素信号の次の２つの画素期間及び色差信号の次の１つの信号期間について、上述した処理を行う。
【００９２】
このように、この実施例の構成によっても、輝度信号Ｙの情報量と色差信号Ｃｂの情報量と色差信号Ｃｒの情報量との割合をＹ：Ｃｂ：Ｃｒ＝４：２：２である画像信号が伝送されて来たとしても、その圧縮されている色差信号、すなわち、補間対象位置の色差信号を輝度相関の強い方の色にずらせることが可能になる等、実施例１と同等の効果が得られる。
【００９３】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記実施例は、いずれも、伝送される画像信号が、輝度信号Ｙと、色差信号Ｃｂと、色差信号Ｃｒとにより構成され、輝度信号Ｙの情報量と、色差信号Ｃｂの情報量と、色差信号Ｃｒの情報量との割合がＹ：Ｃｂ：Ｃｒ＝４：２：２とされ、受信側においてＹ：Ｃｂ：Ｃｒ＝４：４：４の画像信号を復元する例であったが、伝送される輝度信号Ｙ、色差信号Ｃｂ及び色差信号Ｃｒの情報量の割合がＹ：Ｃｂ：Ｃｒ＝４：２：０で、受信側においてＹ：Ｃｂ：Ｃｒ＝４：４：４の画像信号を復元する場合でもこの発明を実施することができる。
【００９４】
また、実施例２乃至実施例４についても、プログラムの処理で同じ処理を行うことができる。
また、実施例３においては、補間対象位置前後の相次ぐ２つの輝度信号を補間係数の算定に用いる例であったが、補間対象位置前後の相次ぐ３以上の輝度信号を補間係数の算定に用いるようにしてもよい。
また、実施例４についても、同様である。
【産業上の利用可能性】
【００９５】
この発明は、伝送信号が、２以上の信号から構成され、それら信号の情報量の割合が、上記と同様のものである場合においても実施することができる。
【図面の簡単な説明】
【００９６】
【図１】図１は、この発明の実施例１である画像変換回路を示す図である。
【図２】同画像変換回路に用いる相関検出回路を示す図である。
【図３】同画像変換回路の動作説明に用いるタイミングチャートである。
【図４】同画像変換回路で用いる相関検出を図解した図である。
【図５】同画像変換回路で得られる効果の説明図である。
【図６】この発明の実施例２である画像変換回路を示す図である。
【００９７】
【図７】同画像変換回路で用いる相関検出を図解した図である。
【図８】この発明の実施例３である画像変換回路を示す図である。
【図９】同画像変換回路に用いる輝度相関検出回路を示す図である。
【図１０】この発明の実施例４である画像変換回路を示す図である。
【図１１】この発明の実施例５である画像変換処理を行う制御部を示す図である。
【図１２】同制御部で行われる処理手順を示す処理フローである。
【符号の説明】
【００９８】
１０、１０Ａ、１０Ｂ、１０Ｃ      画像変換回路
１２、１２Ａ、１２Ｂ、１２Ｃ      補間係数出力回路（算定回路）
１４      補間済色差信号出力回路（再生回路、挿入回路）
１８      遅延回路（算定回路の一部）
１９      遅延回路（算定回路の一部）
２０      遅延回路（算定回路の一部）
２１      遅延回路（算定回路の一部）
２２、２２Ａ、２２Ｂ、２２Ｃ      輝度相関係数検出回路（算定回路の残部）
２８ｂ、２８ｒ      遅延回路（再生回路の一部）
３０ｂ、３０ｒ      乗算回路（再生回路の一部）
３２ｂ、３２ｒ      遅延回路（再生回路の一部）
３４ｂ、３４ｒ      乗算回路（再生回路の一部）
３６ｂ、３６ｒ      加算回路（再生回路の一部）
３８ｂ、３８ｒ      遅延回路（再生回路の一部）
４０ｂ、４０ｒ      切替回路（挿入回路）
【図１】
2005039679.tif 000003
【図２】
2005039679.tif 000004
【図３】
2005039679.tif 000005
【図４】
2005039679.tif 000006
【図５】
2005039679.tif 000007
【図６】
2005039679.tif 000008
【図７】
2005039679.tif 000009
【図８】
2005039679.tif 000010
【図９】
2005039679.tif 000011
【図１０】
2005039679.tif 000012
【図１１】
2005039679.tif 000013
【図１２】
2005039679.tif 000014